(57)【要約】一個又は複数の養魚ケージ（１１）を支持し且つ中空の浮き要素（１７）を有する枠体と、該浮き要素の全体又は一部に水を満たすことにより、また所望の折には該浮き要素の全体又は一部から水を抜くことにより、装置の浮揚性を制御するための手段とを有する養魚装置（１０）。水を空気で置換することにより浮き要素から水を抜く。浮き要素は、水を一定量抜いたときには装置が満載であっても装置全体を浮上させる。枠体は支持脚（１７）を有するため、養魚用組立体が最深位置にあっても、養魚ケージの底は海底から離間して保たれる。【選択図】図２
2004501658.tif 000002
【特許請求の範囲】
【請求項１】
一個又は複数個の養魚ケージを支持し且つ中空の浮き要素を有する枠体と、所望の折には該浮き要素の全体若しくは一部に水を満たすことによりまた該浮き要素の全体若しくは一部から水を抜くことにより、装置の浮揚性を制御するための手段とを有する養魚装置。
【請求項２】
水を空気で置換することにより浮き要素から水を抜く、請求項１に記載の装置。
【請求項３】
浮き要素の容積が、装置が満載であっても該要素から水を一定量抜いたときに装置全体を浮上させることができるものである、請求項１に記載の装置。
【請求項４】
枠体が支持脚を有し、養魚ケージが最深位置にある場合に該ケージの底が海底から離間している、請求項１に記載の装置。
【請求項５】
支持脚が中空管状構造であり、該構造により浮き要素が構成される、請求項４に記載の装置。
【請求項６】
枠体はいくつかの養魚容器を支持し、各容器は水の通過を許容する材料で作られている、請求項１に記載の装置。
【請求項７】
前記装置を海面下に沈める手段を備え、該手段はケーブルを掛けることができる回転可能なガイドを複数有し、前記回転可能なガイドは装置が浮いた状態にあるときは水面より上に位置する、請求項１に記載の装置。
【請求項８】
各ケーブルが、海底に設置固定されたアンカに接続され、更に養魚用組立体上に設けられた巻揚げ手段に接続される、請求項７に記載の装置。
【請求項９】
巻揚げ手段が、養魚装置制御船に設けられた動力手段 によって駆動される、請求項８に記載の装置。
【請求項１０】
巻揚げ手段が、養魚装置制御船から圧送される液状流体により駆動される液圧ウィンチである、請求項８に記載の装置。
【請求項１１】
巻揚げ手段が水密である、請求項８に記載の装置。
【請求項１２】
巻揚げ手段を駆動してケーブルを巻き取ることによって各回転可能なガイドからの各ケーブルの一部分を短くすることができ、これによって支持脚が海底に付くまで装置を沈める、請求項８に記載の装置。
【請求項１３】
通常は装置の浮揚性を装置を浮かせた状態で保持するのに十分高く維持すると共に所望の折には水を浮き要素に導入することにより装置の浮力を減少させる手段をさらに有する、請求項８に記載の装置。
【請求項１４】
装置の浮力の減少量が、ケーブルを巻き取ることによって装置の脚が海底に付くまで装置を沈める際の巻き取られるケーブルに掛かる張力を所定の範囲内に維持する量である、請求項１３に記載の装置。
【請求項１５】
浮き要素に気体を圧入する気体ポンプ手段を有し、沈降した装置を浮上させたいときに該手段を用いて装置の浮力を増加させ、これにより装置を浮かせた状態に戻す、請求項１３に記載の装置。
【請求項１６】
装置を沈めるために巻き取られていたケーブルを、装置を所定の速度で浮上させるために徐々に繰り出す手段を有する、請求項１３に記載の装置。
【請求項１７】
ケーブルに掛かる張力と装置の浮力変化量を互いの関数として制御する手段を有する、請求項６に記載の装置。
【請求項１８】
装置を浮かせた状態において、回転可能なガイドが水面より上にある、請求項６に記載の装置。
【請求項１９】
複数の浮きを更に有する、請求項１に記載の装置。
【請求項２０】
浮きが、少なくともいくつかのケーブル、気体導入管及び水導入管を所望の折にガイドし保持する手段を有する、請求項１５に記載の装置。
【請求項２１】
装置の枠体がトラス構造を有する、請求項１に記載の装置。
【請求項２２】
装置の枠体が一又は複数の空のセルを画定すると共に該セルの縁部を構成し、該セルは底の開いたものである、請求項１に記載の装置。
【請求項２３】
各セルは養魚ケージを備え、養魚ケージはその端部がセルの縁部に固定されて支持され、該ケージは水の通過を許容する材料で作製され、前記容器は、セルの縁部から自在懸架される、請求項２２に記載の装置。
【請求項２４】
浮き要素が、気体導入／排出部及び水導入／排出部を設けたシリンダ形状の支持脚である、請求項１に記載の装置。
【発明の詳細な説明】
【０００１】
【発明の属する技術分野】
本発明は、養魚用容器と、必要に応じて該容器を浮かせる或いは水面下に沈める手段とを有する外海用養魚装置に関する。
【０００２】
【従来の技術】
自然状態の水の中で魚類を養魚するための各種容器あるいはケージを提供しようとする試みが長い間行なわれてきた。これら容器は、水を替え且つ魚の新陳代謝の結果としての排泄物を掃き出すために、ネット状壁面等の水の通過を許容する壁面を有する。魚に給餌可能で且つ養魚条件の制御が可能であるためには、上記容器は、通常水面に近く保たれる必要がある。魚を係る容器に入れ、給餌し、且つ生育を制御することにより、適切な時期に収獲できる。この養魚方法は、全ての種類の魚に適するとはいえないが、適合する種類のものには非常に有効で、通常の漁業技法による場合と比べより好便に且つ経済的に魚食品を提供することができる。
【０００３】
しかしながらそのような養魚用容器は、暴風等による極度に激しい波の運動から守られているものでなければならない。さもなければ該容器は重大な損害を受けたり破損してしまうであろう。この要請に応えるため、一部が内海となっている海岸の付近（例えば湾やフィヨルド等）に養魚用容器を設置することが提案されてきた。そのような場所では、外海が暴風であっても波の運動は激しくないからである。しかし、容器を海岸付近に設置すると、魚の新陳代謝や与える餌による高度の汚染がもたらされるため、この方法は事実上放棄された。
【０００４】
容器を外海に設置すれば、波や海流が汚染を掃きだし分散させるので汚染を避けることができ、また、容器への操作は近くの船から行なうことができる。しかしながら、この場合には、激しい波の運動から容器を保護しなければならないため、暴風が近づくと容器を海面下に沈めなければならず、一方、容器制御のための船は港に避難することになる。これらの提案は全て、海底に設置されたプーリ、即ち一般には回転可能なガイド、を利用するものである。しかし、時が経つにつれフジツボ等の海洋生物がこれらガイド類に付着して動作不能にしてしまう。このように、外海に設置した容器を用いる養魚方法は今までの所、満足できるものではなかった。
【０００５】
【発明が解決しようとする課題】
本発明の目的は、外海に設置した容器中で魚類を飼育するための装置及び方法を提供することである。
【０００６】
本発明の他の目的は、上記装置及び方法において、該装置のどの要素も海洋生物の付着を免れるものを提供することである。
【０００７】
本発明の他の目的は、上記装置及び方法において、養魚条件の制御を完全且つ容易に行なうことができるものを提供することである。
【０００８】
本発明の他の目的は、上記装置及び方法において、必要な場合には、完全な制御下で且つ所望の速さで養魚用容器を水面下に沈めることを許容するものを提供することである。
【０００９】
本発明の他の目的は、上記装置及び方法において、水面下に保持する必要がなくなったときには、所望の速さで且つ制御下において養魚用容器を浮上させ、通常の条件下で浮かせておくことを許容するものを提供することである。
【００１０】
本発明のその他の目的及び利点は以下に記述する詳細な説明を読み進むにつれ理解されるであろう。
【００１１】
【課題を解決するための手段】
養魚装置は、常時監視が必要であり、よって制御するための船の存在を要すると理解されるべきである。この船は、動力手段、ポンプ手段、その他必要な補助装置を備える。制御船は、暴風が予測されるときにはいつも、当然のことながら外海における位置を離れて港に避難することができ、暴風が止んだときには操作位置に戻る。
【００１２】
上の点が理解されたものとして本発明に係る装置を説明すると、本発明の装置は、一個又は好ましくは複数の養魚容器（以下、「ケージ」とも言う）を支持する枠体を有する。また、本発明の装置は、一個又は好ましくは複数個の中空の浮き要素を有し、該要素は枠体の一部であってもよく、他の構造機能を有するものでもよく、また枠体によって支持される付加的な要素（管等）であってもよい。更に、本発明の装置は、前記浮き要素の全体又は一部に水を満たすことにより、また所望の折には、好ましくは水を空気に置換して、該浮き要素の全体又は一部から水を抜くことにより、装置の浮揚性を制御するための手段を有する。この装置は「養魚用組立体」と呼ぶこともでき、また以下そのように称する場合がある。後述するように、浮き要素の容積は、水を一定量抜いたときには装置が満載であっても装置全体が浮くことができるようなものでなければならない。浮き要素から水が殆ど全て抜かれているが完全には抜かれていない場合でも、装置は浮くことが好ましい。これは、構造上の好便性のためであり、操作の可能性を残すことを許容するためである。
【００１３】
好ましくは、枠体は、養魚用組立体の最深位置において海底と接する支持脚を備える。好ましくは、該脚は少なくとも一部が中空で浮き要素を構成する。
【００１４】
枠体はいくつかの養魚容器を支持し、各容器は網目材料等の水の通過を許容する材料から作製される。養魚容器の底は、前記支持脚の存在により、養魚用組立体が最深位置にあっても海底から離れた位置に保たれる。
【００１５】
本発明の装置、即ち養魚用組立体は、該組立体を海面下に沈める手段を備える。該手段はドラムやプーリ等の回転可能なガイドを複数有し、各ガイドにはケーブルを掛ける。前記回転可能なガイドは、該組立体が通常の状態、即ち浮かせた状態のときは、海面より上に位置する。記載を簡潔にするため、以下、「回転可能なガイド」をプーリと呼ぶが、これは例示であって本発明はこれに制限されるものではない。各ケーブルを海底に設置固定されるアンカに接続し、更に、養魚用組立体の上に配置されると共に制御船から送られる動力により駆動される巻揚げ手段に接続する。養魚用組立体を何度も海面下に沈めるので、巻揚げ手段は水中に置かれることにより損傷を受けないものでなければならない。このような巻揚げ手段の好ましい例としては液圧ウィンチが挙げられるが、これに限られるものではない。液圧ウィンチは、制御船に備えられた動力手段によって圧送される液状流体により駆動される。また、ガスケット等により水密性が保たれるものであれば、他の巻揚げ手段を用いてもよく、電気駆動式のものであってもよい。各プーリからアンカまでのケーブル部は装置が通常の状態にあるときに長くなるが、この部分は巻揚げ手段がケーブルを巻き取ることにより短くなり、結果として脚が海底に付くまで装置全体を沈める。
【００１６】
しかしながら、装置を沈める際には、各ケーブルに過剰な張力が掛かるのを防ぐために、通常は装置を浮かせておくように作用する浮力を弱めなければならない。浮力の減少は、浮き要素内に水を導入することにより達成される。ケーブルに掛かる張力が、装置を海底に沈めるのに必要な動力と関係するのは明らかである。沈めるのに必要とされる動力は、制御船の動力手段で測定することができ、ケーブルに掛かる張力を所定の範囲内に抑えるためには、必要とされる動力を所定の範囲内に抑えるべきである。従って、養魚用組立体の浮力の減少量は、沈めるのに必要とされる前記動力を前記範囲内に抑える程度のものとすべきである。当然のことながら、ケーブルにかかる張力は、前記動力を用いて間接的に測定せずに直接測定することもでき、この可能性を本発明から排除するものではない。　【００１７】
暴風が過ぎ去り、養魚用組立体を通常の運転位置、即ち、浮かせた状態に戻すことが望まれる場合、制御船に備えた気体ポンプ手段が圧縮気体、実質的には圧縮空気を浮き要素に圧送し、装置の浮力を増加させる。しかしながら、養魚用組立体を浮上させるためには、装置の巻揚げ手段によって巻き取られたケーブルを繰り出さなければならない。組立体を所望の速度で浮上させるようにケーブルは徐々に繰り出すべきである。このために巻揚げ手段の回転方向を逆転させることができる。或いは、装置の浮力によってケーブルが繰り出されるようにするには、ケーブルに掛かる力（例えば、液状流体の圧力）を弱めることで十分である。装置の沈降及び浮上のどちらにおいても、ケーブルに掛かる張力と装置の浮力の増加は、装置の操作の制御を完全なものとするために、互いの関数として制御されるべきである。このような制御は、制御船に乗船している操作者が行うことができ、或いは、適切にプログラムされた自動制御により行ってもよい。上記関数をどのようにすべきかは、当業者であれば計算やテストにより確立することができる。
【００１８】
装置が浮上したときには、プーリは水面より上にあり、水中に留まっていた比較的短時間の間に被った汚れを洗浄することができる。好ましくは、プーリは４個で装置の枠体（好ましくは長方形）のコーナに、或いは該コーナ付近の位置に配置される。巻揚げ手段も４台、即ち各プーリに１台としてもよく、プーリより少なくして各巻上げ手段が２以上のケーブルの巻き取りや繰り出しをしてもよい。浮力制御用の気体（空気）導入管及び水導入管を、前記操作においてケーブルをガイドしたと同じプーリによって支持するのが好ましいが、別々に支持してもよい。
【００１９】
各装置、即ち養魚用組立体には、いくつかの浮き、好ましくは４個の浮き或いはプーリの数以上の浮きを設け、制御船からプーリ及び浮きまでのケーブルと空気導入管を、好ましくは浮きを通過させて、浮きからガイドする。制御船が暴風から避難するために操作位置を離れる場合、ケーブル及び空気導入管を船から切り離して浮きにより保持する。浮き要素に導入される水を、好ましくは、気体導入管と並行し且つ同様に支持される導入管を介して船から圧送する。装置の枠体或いは浮き要素自体に設けたポンプによって水を海から直接圧送することもでき、空気も同様に圧送することができるが、圧送を局所的に行うと操作制御が困難になる可能性があるため、装置の沈降や浮上に関するすべてのファクタは制御船から制御されることが好ましい。
【００２０】
好ましくは、いくつかの養魚用組立体が一艘の船と対応付けられ且つこの船によって制御される。この場合、浮きのいくつかを２以上の前記組立体に共用し、制御船に接続されたケーブル及び気体導入管を、２以上の養魚用組立体に用いる。
【００２１】
好ましくは、養魚用組立体の枠体はトラス構造を有し、トラスは一又は好ましくは複数の空間、即ちセルを画定し、その縁部を構成する。前記セルは底が開いている。各セルは養魚ケージを備え、養魚ケージはその端部がセルの縁部に固定されて支持される。前記ケージは、水の通過を許容する材料、通常は金属ネットで作製される。容器は、セルの縁部から自在懸架され、好ましくは、底部が凸の形状を有する。
【００２２】
【発明の実施の形態】
ここで図１〜図３を参照すると、装置、即ち養魚用組立体（全体を１０で示す）は、いくつか（本実施形態では１０個）の養魚用容器１１を有する。図２に示すように、該容器１１は底部が凸状で口のすぼまった（ｐｕｒｓｅ−ｌｉｋｅ）形状を有する。養魚用組立体１０は、２本の辺縁（ｐｅｒｉｐｈｅｒａｌ）部材１３及び２本の端部（ｅｎｄ）部材１４と共に付加的に長手方向部材即ち中間部材１６と幅方向部材１５とを有する枠体１２を有し、これら部材全てによっていくつか（本実施形態では１０個）のセル１９を画定する。本実施形態では、５個の容器１１が並んだ列が２列あり、各列は中間部材１６によって隔てられている。前述の枠体を構成する部材は全て、図２に概略を示すようにトラス構造とするのが好ましい。枠体は４個のコーナ突起部２１を備え、各突起部２１はプーリ（図２に２４で示す）を保持し、プーリにはケーブル２２が次に説明するように掛けられている。本実施形態では、必要に応じて各ケーブル２２を巻き取る或いは繰り出す液圧ウィンチ（或いは他の巻揚げ手段）を各コーナ突起部に有する。しかしながら、前述のとおり、設けるウィンチの数を少なく（例えば、対角のコーナにのみ、計２個に）して、各ウィンチでは二以上の（例えば、２個の）ケーブルを制御するものとすることができるだろう。
【００２３】
枠体１２には、浮き要素（図２参照）となる４本の支持脚１７が設けられる。これらの支持脚は中空であり、好ましくは断面積の大きなパイプで作られる。この支持脚の一例を図４の概略断面図に示す。この図は最も沈んだ状態の図で、ボトムプレート１８で海底に接している。また、空気導入／排出用の上部配管２８と水導入／排出用の下部配管２９を設ける。この図では、水がフルレベル２３まで入っている。
【００２４】
枠体１０は３５で示すように４コーナにおいて浮き２５と接続され、浮き２５は海底に固定されたアンカ２６に接続するケーブル２７によって所定の位置に維持される（図１及び図５参照）。
【００２５】
図３に、養魚用容器１１が如何にして枠体１０に接続されているかの概略を示す（図中、４個のセル１９を省略して示す）。いくつかのポイント３２（図では各容器１１に６個のポイントが設けられているが、この数字は単に例示に過ぎない。）をケーブル３０によってフレームの構成要素や接続部のうちの一箇所に接続する。
【００２６】
図５にこの装置の沈め方の概略を示す。プーリ２４に掛けられたケーブル２２を海底に固定されたアンカ３１に接続する。従って、それぞれ４台のプーリ２４に対応している４個のアンカ３１がある（図６参照）。養魚用組立体１０が最も高い位置（１０Ａに示す位置）にあるとき、プーリ２４とアンカ３１の距離は最大である。巻揚げ手段（液圧ウィンチ等）によりケーブル２２が牽引されると、ケーブルが巻き取られてその分だけ短くなり、枠体１０の脚１７が海底に付くに至る。この位置では、プーリ２４とアンカ３１の間のケーブルの長さが最小になる。
【００２７】
ケーブル２２がそれぞれの巻揚げ手段により巻き取られて養魚用組立体を海底へと沈めるとき、装置の浮力を減少させることでケーブルに過剰な応力が生じないようにさせることできる。これは、浮き要素（具体的には脚１７）内の空気圧を抜いて水の収容量をより多くすることによりなされる。底部に沈められた状態であっても常に浮力は微量にあることが好ましいが、十分小さな浮力に留めてケーブル２２に発生する応力を緩和すべきである。この応力は、ケーブルを巻き取るのに動力源が必要とする動力を用いて測定でき、所定の範囲内に張力を維持するように脚１７の浮揚性が制御される。この制御を自動で行うことができ、その場合、制御船の人が介入する必要性が最小限になる。装置を沈める操作を行うとすぐに、制御船は通常その操作位置から離れ、暴風を避ける避難港へと向かうだろう。そうするためにも、制御者は、養魚用組立体と接続されたままのケーブルや気体導入管及び水導入管の接続部分を、船の接続部分と切り離さなければならない。この切り離しが行われると、船と切り離された部分は浮き２５により保持される。
【００２８】
同様に、暴風が過ぎ去り、ケーブル２２が繰り出されているとき、浮き要素の浮力を増加させて、養魚用組立体を海面に浮上させることができる。しかしながら、この浮上は十分にゆっくりとしなければならないと共に、ケーブル２２に所定の張力がかかるように制御しなければならない。当然のことながら、この浮上も自動化して行うことができる。留意しなければならない点は、この装置の容器１１内に大量の魚（ａ ｓｉｇｎｉｆｉｃａｎｔ ｌｏａｄ ｏｆ ｆｉｓｈ）が含まれ、且つ、この装置を海面からかなり深いレベルにまで沈めた後に浮上させる場合、魚が減圧によりダメージをうける虞があるが、この装置を十分ゆっくりと浮上させることによりダメージを避けることができるし、避けるべきであるということである。
【００２９】
装置の引き揚げとその後の操作再開のため、制御船が操作位置に戻ると、制御者は浮きにより保持されていたケーブルや気体及び水系統を船の接続部分と再度接続しなければならない。
【００３０】
図６に、前述した養魚用組立体と浮き２５の接続状態の平面図を示す。
【００３１】
図７に、複数の養魚用組立体１０が制御船４０一隻に接続されている様子を示す。例として、４個の養魚用組立体を図に示すが、この数字は単なる例示に過ぎない。隣り合った組立体は、共通の浮き２５から制御される。線４１は、１本の線でケーブル２２と空気及び水系統の両方を示す。図の通り、これらは図７の実施形態に示した組立体全てに共通である。
【００３２】
本発明の実施形態を図により示したが、発明の精神から離れず且つ請求の範囲を逸脱しない限り、各種改良、変形、適合化を行うことができるものと理解されるべきである。
【図面の簡単な説明】
【図１】
本発明の一実施形態に係る養魚用組立体の平面図である。
【図２】
図１の養魚用組立体の縦側面概略図である。
【図３】
ケージが枠体にどのように支持されているかの概略を示す。
【図４】
浮き要素となる脚の縦断面概略図である。
【図５】
養魚用組立体の沈降及び浮上の概略を示す。
【図６】
沈められた補助要素及び浮いている補助要素と養魚用組立体の接続の概略を示す。
【図７】
いくつかの養魚用組立体がどのように共通の制御要素によって制御されるかの概略を示す。
【符号の説明】
１０　装置（養魚用組立体）
１１　養魚用容器（養魚ケージ）
１２　枠体
１７　支持脚（浮き要素）
２４　プーリ
【国際公開パンフレット】
2004501658.tif 000003
2004501658.tif 000004
2004501658.tif 000005
2004501658.tif 000006
2004501658.tif 000007
2004501658.tif 000008
2004501658.tif 000009
2004501658.tif 000010
2004501658.tif 000011
2004501658.tif 000012
2004501658.tif 000013
2004501658.tif 000014
2004501658.tif 000015
2004501658.tif 000016
2004501658.tif 000017
2004501658.tif 000018
2004501658.tif 000019
2004501658.tif 000020
2004501658.tif 000021
2004501658.tif 000022
2004501658.tif 000023
2004501658.tif 000024
2004501658.tif 000025
2004501658.tif 000026
【手続補正書】
【提出日】平成14年6月26日(2002.6.26)
【手続補正１】
【補正対象書類名】明細書
【補正対象項目名】特許請求の範囲
【補正方法】変更
【補正の内容】
【特許請求の範囲】
【請求項１】
一個又は複数個の養魚ケージを支持し且つ中空の浮き要素を有する枠体と、所望の折には該浮き要素の全体若しくは一部に水を満たすことによりまた該浮き要素の全体若しくは一部から水を抜くことにより、装置の浮揚性を制御するための手段とを有する養魚装置において、該装置を海面下に沈める手段を備え、該手段はケーブルを掛けることができる回転可能なガイドを複数有し、前記回転可能なガイドは装置が浮いた状態にあるときは水面より上に位置する養魚装置。
【請求項２】
水を空気で置換することにより浮き要素から水を抜く、請求項１に記載の装置。
【請求項３】
浮き要素の容積が、装置が満載であっても該要素から水を一定量抜いたときに装置全体を浮上させることができるものである、請求項１に記載の装置。
【請求項４】
枠体が支持脚を有し、養魚ケージが最深位置にある場合に該ケージの底が海底から離間している、請求項１に記載の装置。
【請求項５】
支持脚が中空管状構造であり、該構造により浮き要素が構成される、請求項４に記載の装置。
【請求項６】
枠体はいくつかの養魚容器を支持し、各容器は水の通過を許容する材料で作られている、請求項１に記載の装置。
【請求項７】
各ケーブルが、海底に設置固定されたアンカに接続され、更に養魚用組立体上に設けられた巻揚げ手段に接続される、請求項１に記載の装置。
【請求項８】
巻揚げ手段が、養魚装置制御船に設けられた動力手段によって駆動される、請求項７に記載の装置。
【請求項９】
巻揚げ手段が、養魚装置制御船から圧送される液状流体により駆動される液圧ウィンチである、請求項７に記載の装置。
【請求項１０】
巻揚げ手段が水密である、請求項７に記載の装置。
【請求項１１】
巻揚げ手段を駆動してケーブルを巻き取ることによって各回転可能なガイドからの各ケーブルの一部分を短くすることができ、これによって支持脚が海底に付くまで装置を沈める、請求項７に記載の装置。
【請求項１２】
通常は装置の浮揚性を装置を浮かせた状態で保持するのに十分高く維持すると共に所望の折には水を浮き要素に導入することにより装置の浮力を減少させる手段をさらに有する、請求項２に記載の装置。
【請求項１３】
装置の浮力の減少量が、ケーブルを巻き取ることによって装置の脚が海底に付くまで装置を沈める際の巻き取られるケーブルに掛かる張力を所定の範囲内に維持する量である、請求項１２に記載の装置。
【請求項１４】
浮き要素に気体を圧入する気体ポンプ手段を有し、沈降した装置を浮上させたいときに該手段を用いて装置の浮力を増加させ、これにより装置を浮かせた状態に戻す、請求項１２に記載の装置。
【請求項１５】
装置を沈めるために巻き取られていたケーブルを、装置を所定の速度で浮上させるために徐々に繰り出す手段を有する、請求項１に記載の装置。
【請求項１６】
ケーブルに掛かる張力と装置の浮力変化量を互いの関数として制御する手段を有する、請求項１に記載の装置。
【請求項１７】
装置を浮かせた状態において、回転可能なガイドが水面より上にある、請求項１に記載の装置。
【請求項１８】
複数の浮きを更に有する、請求項１に記載の装置。
【請求項１９】
浮きが、少なくともいくつかのケーブル、気体導入管及び水導入管を所望の折にガイドし保持する手段を有する、請求項１８に記載の装置。
【請求項２０】
装置の枠体がトラス構造を有する、請求項１に記載の装置。
【請求項２１】
装置の枠体が一又は複数の空のセルを画定すると共に該セルの縁部を構成し、該セルは底の開いたものである、請求項１に記載の装置。
【請求項２２】
各セルは養魚ケージを備え、養魚ケージはその端部がセルの縁部に固定されて支持され、該ケージは水の通過を許容する材料で作製され、前記容器は、セルの縁部から自在懸架される、請求項２１に記載の装置。
【請求項２３】
浮き要素が、気体導入／排出部及び水導入／排出部を設けたシリンダ形状の支持脚である、請求項１に記載の装置。
【国際調査報告】
2004501658.tif 000027
2004501658.tif 000028
2004501658.tif 000029